(57)【要約】【課題】簡単な方法であっても個々の好みに合わせることができ、かつ、デザイン性に富んだ色々な製品に使用することができる圧着樹脂板を提供すること。【解決手段】硬化性樹脂に繊維片３０を分散混入させて圧着プレス成型した圧着樹脂板１０であって、硬化性樹脂からなるベース樹脂２０と、ベース樹脂２０に分散させた繊維片３０とからなり、さらに、ベース樹脂２０は、アクリル樹脂、または塩化ビニールであることを特徴とする圧着樹脂板１０とした。【選択図】図１
0003198905.tif 000002
【実用新案登録請求の範囲】
【請求項１】
硬化性樹脂に繊維片を分散混入させて圧着プレス成型した圧着樹脂板であって、
硬化性樹脂からなるベース樹脂と、前記ベース樹脂に分散させた繊維片とからなり、
さらに、前記ベース樹脂は、アクリル樹脂、または塩化ビニール樹脂であることを特徴とする圧着樹脂板。
【請求項２】
前記繊維片はウール、コットン、ラメ、カシミア、シルク、或いはこれらの混合物であることを特徴とする請求項１に記載の圧着樹脂板。
【考案の詳細な説明】
【技術分野】
【０００１】  本考案は、アクリル樹脂等の硬化性樹脂に毛糸等の繊維片を分散混入させてプレス成型した圧着樹脂板に関する。さらに言えば、個人個々の好みに合わせて自由にデザイン性に富んだ製品を容易に具現化することができる圧着樹脂板に関する。
【背景技術】
【０００２】  近年、デザイン性を重視した製品開発が盛んに行われている。特に、個人個々の好みに合ったデザイン性があり、かつ、個性的な製品を望む傾向が顕著になっている。ところが工業製品というものは全く同一で没個性的な製品を大量に生産することが基本であって、少量多品種の生産は手間がかかりコスト的にも難しかった。従って、個々の好むデザイン性に富んだ製品を安価に提供することは難しかった。一方、衣料品の製造メーカは製造の過程で発生した繊維片等をゴミとして処分するしかなかった。【０００３】  特許文献１には、透明な板状の物品の内部に何か（特許文献１では押し花）を混入させてデザイン性を出そうとする試みとしての、写真等の掲示物の出し入れが可能な、押し花飾り付けの写真額（特許文献１：発明の名称）に関する発明として、「写真等の掲示物を配置するスペースを確保しつつ、額の前面ガラス板の裏面側に押し花を接着剤で貼り付け、押し花の裏面部に、中シート及びアルミ箔に設けた上記掲示物の出し入れ用の切り欠け部が位置するように裏側からこの中シート及びアルミ箔を重ねるとともに、中シートの外縁部に配置したスペーサー枠の裏面部にてアルミ箔を接着し、上記掲示物の出し入れ用の切り欠け部にリテーナーを介して接着テープを貼り付けて押し花を密封又は減圧密封したことを特徴とする押し花飾り付けの写真額（特許文献１：請求項１）が開示されている。
【先行技術文献】
【特許文献】
【０００４】
【特許文献１】特開２００４−３４５３４１号公報
【考案の概要】
【考案が解決しようとする課題】
【０００５】  特許文献１に係る技術は、押し花を接着剤で貼り付け、裏側からこの中シート及びアルミ箔を重ねるとともに、中シートの外縁部に配置したスペーサー枠の裏面部にてアルミ箔を接着し、上記掲示物の出し入れ用の切り欠け部にリテーナーを介して接着テープを貼り付けて押し花を密封するという煩雑な作業が必要であるため、個性的なデザインを創生するのに手間が掛かるとともにコストも掛かり好ましく無い。考案者らは、これらの現状を踏まえ、製造の過程で発生した繊維片等を使用して、個々の好みに合わせて自由にデザイン性に富んだ製品を容易に具現化することができる本発明に至ったのである。【０００６】  本考案の目的は、簡単な方法であっても個人個々の好みに合わせることができ、かつ、デザイン性に富んだ色々な製品に使用することができる圧着樹脂板を提供することにある。
【課題を解決するための手段】
【０００７】  上記課題を解決するために、請求項１に記載した考案は、硬化性樹脂に繊維片を分散混入させて圧着プレス成型した圧着樹脂板であって、硬化性樹脂からなるベース樹脂と、前記ベース樹脂に分散させた繊維片とからなり、さらに、前記ベース樹脂は、アクリル樹脂、または塩化ビニール樹脂であることを特徴とする圧着樹脂板であることを特徴とするものである。【０００８】  請求項２に記載した考案は、請求項１に記載した考案において、前記繊維片はウール、コットン、ラメ、カシミア、シルク、或いはこれらの混合物である圧着樹脂板であることを特徴とするものである。
【考案の効果】
【０００９】  本考案によれば、衣料品等製造メーカの製造過程で発生した繊維片を、硬化性樹脂からなるベース樹脂に分散混入させて、圧着プレス成型した圧着樹脂板としたので、簡単な方法であっても自由に個々の好みに合わせることができ、かつ、デザイン性に富んだ色々な製品に応用することができる圧着樹脂板を提供することができるようになった。また、衣料品等の製造メーカが製造の過程で発生したゴミとして処分していた繊維片を有効に利用することができるようになった。
【図面の簡単な説明】
【００１０】
【図１】本考案に係る圧着樹脂板の全体正面図である。
【図２】圧着樹脂板をランプシェードとして使用した実施例を示す図である。
【考案を実施するための形態】
【００１１】＜圧着樹脂板の構造、素材、及び製造方法＞
以下、本考案に係る圧着樹脂板１０について、図１〜図２を参照しつつ詳細に説明する。図１は、本考案に係る圧着樹脂板の全体正面図である。
【００１２】  本考案に係る圧着樹脂板１０は、ベース樹脂２０としての硬化性樹脂に毛糸等の繊維片３０を分散混入させて圧着プレス成型した圧着樹脂板１０である。アクリル樹脂や塩化ビニール樹脂等の硬化性樹脂をベース樹脂２０として、ベース樹脂２０に繊維片３０を、デザイン性を考慮しつつ自由に分散混入させている。ベース樹脂２０に分散混入させる毛糸等の繊維片３０はウール、コットン、ラメ、カシミア、シルク、或いはこれらの混合物である。
【００１３】  ベース樹脂２０としての硬化性樹脂は、アクリル樹脂または塩化ビニール樹脂である。アクリル樹脂の特徴としては透明性に優れるということである。このため色糸のカラフルな風合いをより引き立てることができる。また、塩化ビニール樹脂の特徴としては、透明性に優れるということ以外にも、硬さや柔軟性を自由に変えられるため、製品化において形状における自由度が大きいし、各種添加剤を加えて、難燃性、耐候性等の機能性を付与しやすい素材であるということもある。
【００１４】  本考案に係る圧着樹脂板１０の製造方法は、基本的にはプレスによる圧着成型である。まず、土台とするアクリル樹脂を板状にしたもの（ベース樹脂２０）の上に繊維片３０を配置する。繊維片３０を配置する際は、デザイン性を考慮し、かつ、消費者（お客さん）の好み（要求）も考慮して配置する。繊維片３０を配置する際、配置された繊維片が、プレス圧着成型作業時にズレないようにして固定させるために、予め、繊維片３０の上からスプレーボンド等の接着剤を吹き付けておいてもよい。
【００１５】  そして、液状の硬化性樹脂（硬化剤や添加剤等を配合することもある）を、アクリル樹脂を板状にしたもの（ベース樹脂２０）の上に満遍なく塗布する。土台とするアクリル樹脂を板状にしたもの（ベース樹脂２０）の上に満遍なく塗布した液状の硬化性樹脂は、２枚のアクリル樹脂を板状にしたもの（ベース樹脂２０）を、配置された繊維片３０を挟みつつ圧着することになる。液状の硬化性樹脂を塗布した後、その上から別のアクリル樹脂を板状にしたもの（ベース樹脂２０）を載せてからプレス圧着成型する。
【００１６】  プレス成型時の成型圧は弱めで、プレススピードを遅くすると、２枚のアクリル樹脂を板状にしたもの（ベース樹脂２０）の内部（圧着面）の空気が抜け易いため好ましい。本考案に係る圧着樹脂板１０のサイズは、厚さ０．５ｍｍ〜２０ｍｍ程度であり面積は使用するプレス機の能力に依存する。尚、ベース樹脂２０については、アクリル樹脂を板状にしたもの以外にも、液状の硬化性樹脂（アクリル樹脂等）であっても良く、本考案は、液状の硬化性樹脂（アクリル樹脂等）の内部に毛糸等を分散させてからプレス成型し、硬化させたものであっても良い。
＜圧着樹脂板の使用例＞
【００１７】  図２は、本考案に係る圧着樹脂板１０をランプシェードとして使用した実施例を示す図である。本考案はベース樹脂２０としての硬化性樹脂にカラフルな繊維片３０を分散混入させて圧着プレス成型した圧着樹脂板１０であるので、特に色糸のカラフルな風合いを活かしたデザイン性に富んだ製品を得意とするものである。本考案に係る圧着樹脂板１０の使用用途としては、ランプシェードの他にも、花瓶、スツールの素材としての用途も考えられる。要するに、自由なデザインを活かすことができる製品であればあらゆる製品に使用することができる。
【００１８】＜圧着樹脂板の効果＞
本考案のポイントは、簡単な方法であっても自由に個々の好みに合わせることができ、かつ、デザイン性に富んだ色々な製品に応用することができる圧着樹脂板を提供することである。本考案によれば、衣料品等製造メーカの製造過程で発生した繊維片を、硬化性樹脂からなるベース樹脂に分散混入させて、圧着プレス成型した圧着樹脂板としたので、簡単な方法であっても自由に個々の好みに合わせることができ、かつ、デザイン性に富んだ色々な製品に応用することができる圧着樹脂板を提供することができるようになった。また、衣料品等の製造メーカが製造の過程で発生したゴミとして処分していた繊維片をリサイクル的に利用することができるようになった。
【００１９】  さらに、本考案においては、製造者が単純に完成品を製造して消費者（お客さん）に提供するのでは無く、消費者（お客さん）毎に、自由にデザインを施し、例えば既存の商品に手を加えて、消費者（お客さん）の好みの製品に創り変えること（いわゆるカスタマイズすること）ができるようになった。即ち、個人個々の好みに合わせたデザイン性に富んだ製品を提供することができるようになった。
【００２０】＜圧着樹脂板の変更例＞
本考案に係る圧着樹脂板１０の構成は、上記実施形態の態様に何ら限定されるものではなく、ベース樹脂２０、繊維片３０等の構成を、本考案の趣旨を逸脱しない範囲で、必要に応じて適宜変更することができる。例えば、毛糸等の繊維片３０以外にも、紙や木材を原料とした繊維片、或いは装飾を施した不織布や紙等をベース樹脂２０に分散混入させても良いし、グラスファイバーシートを下地にして、その上から毛糸等を分散混入させても良い。そして、ベース樹脂２０としての硬化性樹脂もアクリル樹脂、塩化ビニール樹脂以外の樹脂であっても良い。
【産業上の利用可能性】
【００２１】  本考案に係る圧着樹脂板は、上記の如く優れた効果を奏するものであるので、インテリア製品等のデザイン性が重視される製品に関する分野において好適に用いることができる。
【符号の説明】
【００２２】１０・・圧着樹脂板
２０・・ベース樹脂
３０・・繊維片
【図１】
0003198905.tif 000003
【図２】
0003198905.tif 000004